(57)【要約】 【課題】  同じトラックを複数の再生ヘッドでスキャンまたは１つの再生ヘッドで複数回スキャンし、夫々のスキャンによる再生データに所定の記録ブロック毎にＣ１訂正を施し、Ｃ１訂正された再生データをメモリに書込み、メモリから読出した再生データに２訂正を施すノントラッキング再生方式の再生装置において、編集時の下地の消残りを、ＳＹＮＣブロックのＩＤ中にＥｄｉｔＩＤを挿入したり下地のＥｄｉｔＩＤの検出用の再生系を設けたりすることなく、Ｃ２訂正の対象から除外する。【解決手段】  編集単位ＳＧとなる所定本のトラックのうち、後側の一部のトラックを先書き優先領域ＳＧ２に、残りを後書き優先領域ＳＧ１に設定し、先書き優先領域ＳＧ２から再生されてＣ１訂正された各記録ブロックについて、その記録ブロックと同じＩＤの記録ブロックの再生データがメモリに書込まれているか判別し、書込まれていない記録ブロックの再生データはメモリに書込み、書込まれている記録ブロックの再生データはメモリに書込まない。【選択図】  図７
2005196921.tif 000002
【特許請求の範囲】
【請求項１】
テープ状記録媒体上の同じトラックに対し、複数の再生ヘッドによるスキャンか、１つの再生ヘッドによる複数回のスキャンかのいずれかを行い、
それぞれのスキャンによる再生データに対して、所定の記録ブロック毎に、インナパリティを用いた誤り訂正を施し、
前記誤り訂正によって誤りが訂正された再生データをメモリに書き込み、
前記メモリから読み出した再生データに対して、アウタパリティを用いた誤り訂正を施すようにしたノントラッキング再生方式の再生装置において、
編集の最小単位となる所定本数のトラックのうち、後側の一部の本数のトラックを先書き優先領域に、残りのトラックを後書き優先領域にそれぞれ設定し、前記先書き優先領域から再生されて前記インナパリティを用いて誤り訂正が訂正された各々の前記記録ブロックについて、該記録ブロックと同じ識別データを有する記録ブロックの再生データが前記メモリに既に書き込まれているか否かを判別する判別手段と、
前記判別手段でまだ書き込まれていないと判別された記録ブロックの再生データは前記メモリに書き込ませ、前記判別手段で既に書き込まれていると判別された記録ブロックの再生データは前記メモリに書き込ませない制御手段と
を備えたことを特徴とする再生装置。
【請求項２】
請求項１に記載の再生装置において、
前記判別手段は、前記テープ状記録媒体を逆方向に走行させて再生が行われる場合には、前記編集の最小単位となる所定本数のトラックのうち、前側の一部の本数のトラックを先書き優先領域に、残りのトラックを後書き優先領域にそれぞれ設定することを特徴とする再生装置。
【請求項３】
請求項２に記載の再生装置において、
回転ドラム上に、同一のアジマス角の複数の再生ヘッドが不均一な角度割で配置されており、
前記テープ状記録媒体を逆方向に走行させて再生が行われる場合に、前記複数の再生ヘッドのうち、前記回転ドラム上での高さが高いほうの再生ヘッドからの再生信号を、前記回転ドラム上での高さが低いほうの再生ヘッドからの再生信号よりも遅延させる遅延手段
をさらに備えたことを特徴とする再生装置。
【請求項４】
テープ状記録媒体上の同じトラックに対し、複数の再生ヘッドによるスキャンか、１つの再生ヘッドによる複数回のスキャンかのいずれかを行い、
それぞれのスキャンによる再生データに対して、所定の記録ブロック毎に、インナパリティを用いた誤り訂正を施し、
前記誤り訂正によって誤りが訂正された再生データをメモリに書き込み、
前記メモリから読み出した再生データに対して、アウタパリティを用いた誤り訂正を施すようにしたノントラッキング再生方法において、
編集の最小単位となる所定本数のトラックのうち、後側の一部の本数のトラックを先書き優先領域に、残りのトラックを後書き優先領域にそれぞれ設定し、前記先書き優先領域から再生されて前記インナパリティを用いて誤りが訂正された各々の前記記録ブロックについて、該記録ブロックと同じ識別データを有する記録ブロックの再生データが前記メモリに既に書き込まれているか否かを判別する第１のステップと、
前記第１のステップでまだ書き込まれていないと判別した記録ブロックの再生データは前記メモリに書き込ませ、前記第１のステップで既に書き込まれていると判別された記録ブロックの再生データは前記メモリに書き込ませない第２のステップと
を有することを特徴とするノントラッキング再生方法。
【請求項５】
請求項４に記載のノントラッキング再生方法において、
前記第１のステップでは、前記テープ状記録媒体を逆方向に走行させて再生が行われる場合には、前記編集の最小単位となる所定本数のトラックのうち、前側の一部の本数のトラックを先書き優先領域に、残りのトラックを後書き優先領域にそれぞれ設定することを特徴とするノントラッキング再生方法。
【請求項６】
請求項５に記載のノントラッキング再生方法において、
回転ドラム上に、同一のアジマス角の複数の再生ヘッドが不均一な角度割で配置されており、
前記テープ状記録媒体を逆方向に走行させて再生が行われる場合に、前記複数の再生ヘッドのうち、前記回転ドラム上での高さが高いほうの再生ヘッドからの再生信号を、前記回転ドラム上での高さが低いほうの再生ヘッドからの再生信号よりも遅延させるステップ
をさらに有することを特徴とするノントラッキング再生方法。
【発明の詳細な説明】
【技術分野】
【０００１】
本発明は、ノントラッキング再生を行うＶＴＲなどの再生装置、及びノントラッキング再生方法に関する。
【背景技術】
【０００２】
近年、ＶＴＲの記録フォーマットは、高画質化の要求に対応してますます高密度記録化が進んでいる。そのため、ビデオテープ上でトラックピッチは、例えば１０μｍ以下というように非常に狭くなってきている。
【０００３】
このようにトラックピッチが非常に狭くなると、同じトラックを１つの再生ヘッドで１回だけスキャンする「ジャストトラッキング再生」を行っても、ビデオテープの僅かな伸縮やテープ走行系の機械的精度を原因として、オフトラック量がＣ１訂正（インナパリティを用いた誤り訂正）の可能な範囲を超えてしまい、記録データを正確に再現できなくなる。
【０００４】
そこで、そうした場合に適した再生方法として、「ノントラッキング再生」が存在している。これは、同じトラックを、複数の再生ヘッドでスキャンするかあるいは１つの再生ヘッドで複数回スキャンし、それぞれのスキャンによる再生データにＣ１訂正を施した後、このＣ１訂正によって誤りが訂正された再生データだけをメモリに書き込み、このメモリから読み出したデータにＣ２訂正（アウタパリティを用いた誤り訂正）を施すようにしたものである。
【０００５】
図１は、ノントラッキング再生でＣ１訂正が可能な範囲を、ジャストトラッキング再生の場合と対比して示す図である。図１Ａに示すように、同じトラックＴｒを１つの再生ヘッドＡで１回だけスキャンするジャストトラッキング再生の場合には、Ｃ１訂正の可能なオフトラックの範囲（図の斜線部分）が狭いのに対し、図１Ｂに示すように、同じトラックＴｒを２つの再生ヘッドＡ１及びＡ２（アジマス角の等しいヘッド）でスキャンするノントラッキング再生の場合には、Ｃ１訂正の可能なオフトラックの範囲（図の斜線部分）に抜けがなくなる。
【０００６】
ところで、ＶＴＲでは、先に記録した映像の或るシーンに続いて別の映像を記録する繋ぎ撮りや、先に記録した映像の或る範囲に別の映像をはめ込むインサートのような、編集を行うことが少なくない。トラックピッチが非常に狭いと、こうした編集時に、記録ヘッドが下地（先に記録を行ったトラック）に対してオフトラックすることにより、本来は上書き消去されるべき下地が消し残されることがある。
【０００７】
図２は、こうした下地の消し残りを例示する図である。ここでは、図２Ａに示すように、上下のセクタに分割された４８本のビデオトラックＶＴと、ビデオトラックＶＴの上下のセクタ間の８本のオーディオトラックＡＴとを、編集の最小単位であるセグメントＳＥとして扱う。
【０００８】
図２Ｂは、図２Ａの中央の１個のセグメントＳＥを編集対象としたインサート編集時に、記録ヘッドが下地に対してオフトラックしなかった状態を示す。このとき、編集部分（編集時に実際にデータが記録された部分）が編集対象のセグメントＳＥと完全に重なるので、編集対象のセグメントＳＥに記録されていた下地は全て上書き消去されており、消し残りは存在しない。（編集部分の両側の下地は、編集対象のセグメントＳＥに隣接する別のセグメントに記録されている下地である。）
【０００９】
これに対し、図２Ｃは、図２Ａの中央の１個のセグメントＳＥを編集対象としたインサート編集時に、記録ヘッドが下地に対してオフトラックした状態を示す。このとき、編集部分が編集対象のセグメントＳＥに対してずれることにより、編集対象のセグメントＳＥに記録されていた下地が消し残されている。
【００１０】
この図２Ｃのように下地が消し残されたビデオテープをそのままノントラッキング再生すると、下地の消し残りについてのＣ１訂正結果も集められてＣ２訂正されてしまうので、Ｃ２訂正能力が低下し、編集後のデータを正しく再生することができなくなってしまう。
【００１１】
こうしたことから、ノントラッキング再生では、下地の消し残りをＣ２訂正の対象から除外することが重要になる。従来、そのための方法としては、ＳＹＮＣブロックのＩＤの中に、下地の消し残りを識別するための編集データＩＤ（ＥｄｉｔＩＤ）を挿入し、そのＥｄｉｔＩＤを利用するという方法が存在していた（例えば、特許文献１及び２参照。）。
【００１２】
この従来の方法の具体例を、図３及び図４を用いて説明する。図３は、ＳＹＮＣブロックのＩＤに挿入するＥｄｉｔＩＤを、所定数のＳＹＮＣブロックで構成されるＥＣＣブロックとともに例示する図である。ＳＹＮＣブロックのＩＤの中に、シンクナンバー（ＩＤ０）やトラックナンバー等（ＩＤ１）に加えて、下地の消し残りを識別するための８ビットのＥｄｉｔＩＤ（ＩＤ２）を挿入する。
【００１３】
図４は、このＥｄｉｔＩＤを利用して下地の消し残りを排除するようにした従来のノントラッキング再生方式のＶＴＲの記録再生系を示すブロック図である。このＶＴＲには、記録系として、ビデオ圧縮器５１と、ＳＹＮＣ・ＩＤ・パリティ付加器５２と、記録回路５３及び５４と、記録ヘッド５５（正アジマス角のヘッドＡと、負アジマス角のヘッドＢ）とが設けられている。
【００１４】
また、通常の再生系（ビデオ・オーディオの再生系）として、再生ヘッド５６（正アジマス角のヘッドＡ１及びＡ２と、負アジマス角のヘッドＢ１及びＢ２）と、等化復号回路５７〜６０と、Ｃ１訂正器６１〜６４と、ノントラッキング処理回路６５と、ＥｄｉｔＩＤ検出器６６と、Ｃ２訂正器６７と、ビデオ伸張器６８とが設けられている。
【００１５】
また、通常の再生系とは別に、下地のＥｄｉｔＩＤの検出用の再生系として、編集部分の記録に先行して下地を再生するためのアドバンスヘッド６９（正アジマス角のヘッドＡ１及びＡ２と、負アジマス角のヘッドＢ１及びＢ２）と、等化復号回路７０〜７３と、Ｃ１訂正器７４〜７７と、下地ＥｄｉｔＩＤ検出器７８とが設けられている。
【００１６】
このＶＴＲでは、通常の記録時（下地の記録時）には、記録対象のビデオ信号がビデオ圧縮器５１で帯域制限及びビットリダクションによって圧縮された後、ＳＹＮＣ・ＩＤ・パリティ付加器５２において、この圧縮ビデオ信号に対して図３に例示したようにＳＹＮＣ，ＩＤ，インナパリティ及びアウタパリティが付加されることによってＳＹＮＣブロック・ＥＣＣブロックが構成される。
【００１７】
また、記録対象の非圧縮オーディオ信号に対しても、ＳＹＮＣ・ＩＤ・パリティ付加器５２において同様にしてＳＹＮＣ，ＩＤ，インナパリティ及びアウタパリティが付加されることによってＳＹＮＣブロック・ＥＣＣブロックが構成される。
【００１８】
そして、ＳＹＮＣ・ＩＤ・パリティ付加器５２の出力データが、記録回路５３，５４でそれぞれ記録電流に変換されて、記録ヘッド５５でビデオテープＴＰに記録される。
【００１９】
このようにして下地を記録した後、編集時には、新たなビデオ・オーディオ信号の記録に先行して、アドバンスヘッド６９によるビデオテープＴＰからの再生信号が等化復号回路７０〜７３，Ｃ１訂正器７４〜７７でそれぞれ等化・復号，Ｃ１訂正され、Ｃ１訂正器７４〜７７の出力データから下地ＥｄｉｔＩＤ検出器７８でＥｄｉｔＩＤが検出される。
【００２０】
そして、ＳＹＮＣ・ＩＤ・パリティ付加器５２において、ビデオ圧縮器５１で圧縮されたビデオ信号と、非圧縮オーディオ信号とに対し、下地ＥｄｉｔＩＤ検出器７８で検出されたＥｄｉｔＩＤに１を加えたものをＥｄｉｔＩＤとしてそれぞれＳＹＮＣ，ＩＤ，インナパリティ及びアウタパリティが付加されることによってＳＹＮＣブロック・ＥＣＣブロックが構成される。
【００２１】
そして、ＳＹＮＣ・ＩＤ・パリティ付加器５２の出力データが、記録回路５３，５４でそれぞれ記録電流に変換されて、記録ヘッド５５でビデオテープＴＰに記録される。
【００２２】
他方、再生時には、再生ヘッド５６によるビデオテープＴＰからの再生信号が等化復号回路５７〜６０，Ｃ１訂正器６１〜６４でそれぞれ等化・復号，Ｃ１訂正され、Ｃ１訂正器６１〜６４の出力データがノントラッキング処理回路６５に送られるとともに、Ｃ１訂正器６１〜６４の出力データからＥｄｉｔＩＤ検出器６６でＥｄｉｔＩＤが検出される。
【００２３】
ノントラッキング処理回路６５内では、Ｃ１訂正器６１〜６４で誤りが訂正された再生データのうち、ＥｄｉｔＩＤ検出器６６で検出されたＥｄｉｔＩＤが編集時に付加されたＥｄｉｔＩＤと一致しているＳＹＮＣブロックのデータはメモリに書き込むが、それ以外のＳＹＮＣブロックのデータはこのメモリに書き込まず、このメモリから読み出したデータをＣ２訂正器６７に送るというノントラッキング処理が行われる。これにより、下地の消し残りがＣ２訂正の対象から除外される。
【００２４】
そして、Ｃ２訂正器６７でノントラッキング処理回路６５からの再生データがＣ２訂正され、Ｃ２訂正器６７の出力データのうちのビデオデータがビデオ伸張器６８で伸張されることにより、再生ビデオ信号及び再生オーディオ信号が得られる。
【特許文献１】特開平９−２６６５６３号公報（段落番号００２３〜００２４、図６）
【特許文献２】特開平９−３１２０９０号公報（段落番号００４７〜００４９、図３）
【発明の開示】
【発明が解決しようとする課題】
【００２５】
しかし、こうした従来の方法には、ＳＹＮＣブロックのＩＤの中にＥｄｉｔＩＤを挿入するので、ＩＤのビット数が増えてしまい（図３の例では８ビット増えてしまい）、その分ビデオ信号やオーディオ信号の実質的な記録密度が低下するという不都合があった。
【００２６】
さらに、図４に示したように、下地のＥｄｉｔＩＤを検出するための専用の再生系（再生ヘッド及び信号処理回路）を設けなければならないので、回転ドラムの小型化が困難になるとともに回路構成が複雑化するという不都合があった。
【００２７】
本発明は、上述の点に鑑み、テープ状記録媒体に記録されたトラックをノントラッキング再生するＶＴＲやその他の再生装置において、従来のようにＳＹＮＣブロックのＩＤの中にＥｄｉｔＩＤを挿入したり下地のＥｄｉｔＩＤの検出用の再生系を設けたりすることなく、編集時の下地の消し残りをＣ２訂正の対象から除外できるようにすることを課題としてなされたものである。
【課題を解決するための手段】
【００２８】
この課題を解決するために、本発明による再生装置は、テープ状記録媒体上の同じトラックに対し、複数の再生ヘッドによるスキャンか、１つの再生ヘッドによる複数回のスキャンかのいずれかを行い、それぞれのスキャンによる再生データに対して、所定の記録ブロック毎にインナパリティを用いた誤り訂正（Ｃ１訂正）を施し、このＣ１訂正によって誤りが訂正された再生データをメモリに書き込み、このメモリから読み出した再生データに対してアウタパリティを用いた誤り訂正（Ｃ２訂正）を施すようにしたノントラッキング再生方式の再生装置において、編集の最小単位となる所定本数のトラックのうち、後側の一部の本数のトラックを先書き優先領域に、残りのトラックを後書き優先領域にそれぞれ設定し、この先書き優先領域から再生されてＣ１訂正によって誤りが訂正された各記録ブロックについて、その記録ブロックと同じ識別データ（ＩＤ）を有する記録ブロックの再生データがこのメモリに既に書き込まれているか否かを判別する判別手段と、この判別手段でまだ書き込まれていないと判別された記録ブロックの再生データはこのメモリに書き込ませ、この判別手段で既に書き込まれていると判別された記録ブロックの再生データはこのメモリに書き込ませない制御手段とを備えたことを特徴とする。
【００２９】
このノントラッキング再生方式の再生装置では、編集の最小単位となる所定本数のトラックのうち、後側の一部の本数のトラックが先書き優先領域に設定される。そして、この先書き優先領域から再生されてＣ１訂正された各記録ブロックについて、その記録ブロックと同じＩＤを有する記録ブロックの再生データがメモリに既に書き込まれているか否かが判別され、書き込まれていると判別された記録ブロックの再生データはメモリに書き込ませない制御が行われる。
【００３０】
ここで、先書き優先領域とされた編集単位の後側のトラックは、編集部分の後端側に下地の消し残りが存在する場合に、同じＩＤの記録ブロックが、下地の消し残りよりも編集部分のほうから先に再生されるトラックである。
【００３１】
したがって、編集部分の後端側に下地の消し残りが存在しても、編集部分からの各記録ブロックの再生データが先にメモリに書き込まれるので、下地の消し残りからの同じＩＤの記録ブロックの再生データはメモリに書き込まれない。これにより、下地の消し残りから再生されてＣ１訂正されたデータがＣ２訂正されることはない。
【００３２】
他方、後書き優先領域とされた編集単位の前側のトラックは、編集部分の前端側に下地の消し残りが存在する場合に、同じＩＤの記録ブロックが、編集部分よりも下地の消し残りのほうから先に再生されるトラックである。
【００３３】
したがって、編集部分の前端側に下地の消し残りが存在するとき、下地の消し残りからの各記録ブロックの再生データは、一旦はメモリに書き込まれるが、その後、編集部分からの同じＩＤの記録ブロックの再生データによって上書き消去される。これにより、やはり、下地の消し残りから再生されてＣ１訂正されたデータがＣ２訂正されることはない。
【００３４】
このようにして、この再生装置では、編集単位の前側，後側をそれぞれ後書き優先領域，先書き優先領域に区別してメモリへの書き込み処理を行うことにより、編集部分の前端側，後端側のいずれに下地の消し残りが存在する場合にも、下地の消し残りをＣ２訂正の対象から除外することができる。
【００３５】
これにより、従来のようにＳＹＮＣブロックのＩＤの中にＥｄｉｔＩＤを挿入したり下地のＥｄｉｔＩＤの検出用の再生系を設けたりすることなく、編集時の下地の消し残りをＣ２訂正の対象から除外することができる。
【００３６】
なお、この再生装置において、一例として、判別手段は、テープ状記録媒体を逆方向に走行させて再生を行う場合（リバース再生時）には、編集単位となる所定本数のトラックのうち、前側の一部の本数のトラックのほうを先書き優先領域に、残りのトラックを後書き優先領域にそれぞれ設定することが好適である。
【００３７】
このように、編集単位における先書き優先領域，後書き優先領域の設定を逆にすることにより、リバース再生時にも、下地の消し残りをＣ２訂正の対象から除外することができるようになる。
【００３８】
但し、回転ドラム上に同一のアジマス角の複数の再生ヘッドが不均一な角度割で配置されている場合には、回転ドラム上でのそれらの再生ヘッドの高さが相違するので、回転ドラム上の高さが高いほうの再生ヘッドが、回転ドラム上の高さが低いほうの再生ヘッドよりも先に再生を行うことにより、下地の消し残り，編集部分からの同じＩＤの記録ブロックの再生順序が、リバース再生時と通常の再生時（フォワード再生時）とで同じになってしまうことがある。そのため、先書き優先領域，後書き優先領域の設定を逆にしただけでは、リバース再生時に、下地の消し残りをＣ２訂正の対象から除外することができない。
【００３９】
そこで、そうした場合には、先書き優先領域，後書き優先領域の設定を逆にすることに加えて、リバース再生時に、それらの複数の再生ヘッドのうち、回転ドラム上での高さが高いほうの再生ヘッドからの再生信号を、回転ドラム上での高さが低いほうの再生ヘッドからの再生信号よりも遅延させる遅延手段をさらに備えることが好適である。
【００４０】
それにより、判別手段や制御手段側からみて、下地の消し残り，編集部分からの同じＩＤの記録ブロックの再生順序が、リバース再生時とフォワード再生とで常に逆になるので、リバース再生時にも、下地の消し残りを常にＣ２訂正の対象から除外することができるようになる。
【００４１】
次に、本発明に係るノントラッキング再生方法は、テープ状記録媒体上の同じトラックに対し、複数の再生ヘッドによるスキャンか、１つの再生ヘッドによる複数回のスキャンかのいずれかを行い、それぞれのスキャンによる再生データに対して、所定の記録ブロック毎にＣ１訂正を施し、Ｃ１訂正によって誤りが訂正された再生データをメモリに書き込み、メモリから読み出した再生データに対してＣ２訂正を施すようにしたノントラッキング再生方法において、編集の最小単位となる所定本数のトラックのうち、後側の一部の本数のトラックを先書き優先領域に、残りのトラックを後書き優先領域にそれぞれ設定し、この先書き優先領域から再生されてＣ１訂正によって誤りが訂正された各記録ブロックについて、その記録ブロックと同じＩＤを有する記録ブロックの再生データがこのメモリに既に書き込まれているか否かを判別する第１ステップと、この第１ステップでまだ書き込まれていないと判別した記録ブロックの再生データはこのメモリに書き込ませ、この第１ステップで既に書き込まれていると判別した記録ブロックの再生データはこのメモリに書き込ませない第２ステップとを有することを特徴とする。
【００４２】
このノントラッキング再生方法によれば、前述の本発明に係る再生装置について説明したのと全く同様にして、ＳＹＮＣブロックのＩＤの中にＥｄｉｔＩＤを挿入したり下地のＥｄｉｔＩＤの検出用の再生系を設けたりすることなく、編集時の下地の消し残りをＣ２訂正の対象から除外することができる。
【００４３】
なお、ノントラッキング再生方法においても、一例として、第１のステップでは、テープ状記録媒体を逆方向に走行させて再生が行われる場合には、編集単位となる所定本数のトラックのうち、前側の一部の本数のトラックを先書き優先領域に、残りのトラックを後書き優先領域にそれぞれ設定することや、さらには、リバース再生時に、複数の再生ヘッドのうち、回転ドラム上での高さが高いほうの再生ヘッドからの再生信号を、回転ドラム上での高さが低いほうの再生ヘッドからの再生信号よりも遅延させることが好適である。
【００４４】
それにより、前述の本発明に係る再生装置について説明したのと全く同様にして、リバース再生時にも、下地の消し残りを常にＣ２訂正の対象から除外することができるようになる。
【発明の効果】
【００４５】
本発明によれば、テープ状記録媒体に記録されたトラックをノントラッキング再生するＶＴＲやその他の再生装置において、編集単位の前側，後側をそれぞれ後書き優先領域，先書き優先領域に区別してメモリへの書き込み処理を行うことにより、編集部分の前端側，後端側のいずれに下地の消し残りが存在する場合にも、下地の消し残りをＣ２訂正の対象から除外することができる。
【００４６】
これにより、従来のようにＳＹＮＣブロックのＩＤの中にＥｄｉｔＩＤを挿入したり下地のＥｄｉｔＩＤの検出用の再生系を設けたりすることなく、編集時の下地の消し残りをＣ２訂正の対象から除外することができるという効果が得られる。
【００４７】
また、編集単位における先書き優先領域，後書き優先領域の設定を逆にすることにより、リバース再生時にも、下地の消し残りをＣ２訂正の対象から除外することができるという効果が得られる。
【００４８】
さらに、先書き優先領域，後書き優先領域の設定を逆にすることに加えて、回転ドラム上での高さが高いほうの再生ヘッドからの再生信号を、回転ドラム上での高さが低いほうの再生ヘッドからの再生信号よりも遅延させることにより、回転ドラム上に同一のアジマス角の複数の再生ヘッドが不均一な角度割で配置されている場合にも、リバース再生時に常に下地の消し残りを常にＣ２訂正の対象から除外することができるという効果が得られる。
【発明を実施するための最良の形態】
【００４９】
以下、本発明を図面を用いて具体的に説明する。図５は、本発明を適用したノントラッキング再生方式のＶＴＲの記録再生系の構成を示すブロック図である。このＶＴＲには、記録系として、ビデオ圧縮器１と、ＳＹＮＣ・ＩＤ・パリティ付加器２と、記録回路３及び４と、記録ヘッド５（正アジマス角のヘッドＡと、負アジマス角のヘッドＢ）とが設けられている。
【００５０】
また、再生系として、再生ヘッド６（正アジマス角のヘッドＡ１及びＡ２と、負アジマス角のヘッドＢ１及びＢ２）と、等化復号回路７〜１０と、Ｃ１訂正器１１〜２４と、ノントラッキング処理回路１５と、Ｃ２訂正器１６と、ビデオ伸張器１７とが設けられている。
【００５１】
このＶＴＲでは、記録時（編集前の下地の記録時と、編集時との両方）には、記録対象のビデオ信号がビデオ圧縮器１で帯域制限及びビットリダクションによって圧縮された後、ＳＹＮＣ・ＩＤ・パリティ付加器２において、この圧縮ビデオ信号に対してＳＹＮＣ，ＩＤ，インナパリティ及びアウタパリティが付加されることによってＳＹＮＣブロック・ＥＣＣブロックが構成される。
【００５２】
また、記録対象の非圧縮オーディオ信号に対しても、ＳＹＮＣ・ＩＤ・パリティ付加器２において同様にしてＳＹＮＣ，ＩＤ，インナパリティ及びアウタパリティが付加されることによってＳＹＮＣブロック・ＥＣＣブロックが構成される。
【００５３】
図６は、圧縮ビデオ信号について、各ＳＹＮＣブロックのＩＤを、複数のＳＹＮＣブロックで構成されるＥＣＣブロックとともに例示する図である。ＩＤの中には、シンクナンバー（ＩＤ０）及びトラックナンバー等（ＩＤ１）が含まれるが、図３に示したようなＥｄｉｔＩＤ（ＩＤ２）は含まれない。
【００５４】
なお、圧縮ビデオ信号については、例えば、ビデオトラック４８本（後述の編集単位である１セグメント）にこのＥＣＣブロックが３６個記録される。
【００５５】
図５に示すように、ＳＹＮＣ・ＩＤ・パリティ付加器２の出力データは、記録回路３，４でそれぞれ記録電流に変換されて、記録ヘッド５でビデオテープＴＰに記録される。
【００５６】
他方、再生時には、再生ヘッド６によるビデオテープＴＰからの再生信号が等化復号回路７〜１０で等化・復号され、等化復号回路７〜１０の出力データに対してＣ１訂正器１１〜１４でＳＹＮＣブロック毎にＣ１訂正（インナパリティを用いた誤り訂正）が施される。そして、Ｃ１訂正器１１〜１４から、誤りが訂正されたか否かを示すフラグをＳＹＮＣブロック毎に付加した再生データが、ノントラッキング処理回路１５に送られる。
【００５７】
ノントラッキング処理回路１５は、Ｃ１訂正器１１〜１４で誤りが訂正されたＳＹＮＣブロックの再生データだけを集めるとともに、編集時の下地の消し残りからの再生データを除外するための回路である。
【００５８】
ノントラッキング処理回路１５の構成を説明する前提として、このＶＴＲでの編集単位及び「後書き優先領域・先書き優先領域」について説明する。このＶＴＲでは、図７に示すように、上下のセクタに分割された４８本のビデオトラックＶＴと、ビデオトラックＶＴの上下のセクタ間の１チャンネル分の８本のオーディオトラックＡＴ（図示の都合上１チャンネルをトラック２本として描いている）とが、編集の最小単位であるセグメントＳＥとして扱われる。各セグメントＳＥには、０〜３のセグメント番号ＮＢが順番に繰り返して割り振られる。
【００５９】
そして、各セグメントＳＥは、前半の２４本のビデオトラックＶＴ及び４本のオーディオトラックＡＴが後書き優先領域ＳＧ１として設定され、後半の２４本のビデオトラックＶＴ及び４本のオーディオトラックＡＴが先書き優先領域ＳＧ２として設定される。（なお、実際のトラックはヘリカル・トラックであるが、図では模式的にトラックの長手方向をテープ走行方向に垂直な方向に向けて描いている。以下の図１１，図１３，図１５，図１６，図１８でも同様である。）
【００６０】
図８は、ノントラッキング処理回路１５の構成例を示すブロック図である。ノントラッキング処理回路１５には、図５の各Ｃ１訂正器１１〜１４に１対１に対応して４組のＳＲＡＭ２１及びＳＲＡＭライトコントローラ２２が設けられている（図にはそのうちの１組のみを示している）。
【００６１】
各Ｃ１訂正器１１〜１４からの再生データＤＡＴＡは、それぞれ対応するＳＲＡＭ２１に送られる。また、各Ｃ１訂正器１１〜１４からの再生データＤＡＴＡ中のＳＹＮＣ及びＩＤ（図６）と、Ｃ１訂正器１１〜１４で再生データに付加された前述のフラグ（誤りが訂正されたか否かを示すフラグ）とが、対応するＳＲＡＭライトコントローラ２２に送られる。
【００６２】
ＳＲＡＭライトコントローラ２２は、誤りが訂正されたことを示すフラグが送られたときだけ、ライトアドレスＷＡＤＲ及びライトイネーブルＷＥＮをＳＲＡＭ２１に与えて、そのフラグが付加されたＳＹＮＣブロックの再生データをＳＲＡＭ２１を書き込ませる。      
【００６３】
そして、ＳＲＡＭライトコントローラ２２は、ＳＲＡＭ２１に１ＳＹＮＣブロック分の再生データが書き込まれる毎に、ＳＲＡＭ２１が一杯になったことを示すフルフラグと、ＳＲＡＭ２１に書き込まれた再生データのセグメント番号（図７）及びＩＤ（図６）とから成る情報ＦＵＬＬ／ＳＥＧ／ＩＤを、バリッドチェック回路２３に送る。
【００６４】
バリッドチェック回路２３は、マイクロプロセッサから成っており、この情報ＦＵＬＬ／ＳＥＧ／ＩＤを受け取る毎に、以下の（ａ）〜（ｅ）の処理を行う。なお、図９は、この処理（ａ）〜（ｅ）の内容及び手順を簡潔に示した図である。
【００６５】
（ａ）ＳＲＡＭライトコントローラ２２にアクノーリッジＡＣＫを返した後、ＳＲＡＭ２１にリードアドレスＲＡＤＲを与えることにより、ＳＲＡＭ２１から１ＳＹＮＣブロック分の再生データＤＡＴＡを読み出す。そして、その再生データが先書き優先領域（図７）内のＳＹＮＣブロックのデータであるか否かを、ＳＲＡＭライトコントローラ２２からのＩＤによって判別する。
【００６６】
（ｂ）判別の結果、後書き優先領域内のＳＹＮＣブロックのデータであった場合には、その再生データＤＡＴＡを、ＳＤＲＡＭパケットコントローラ２５に送る。また、書き込み要求ＲＥＱと、データの書込みを行いたいＳＤＲＡＭ２７内のアドレス（デスティネーションアドレス）を示す情報ＤＡＤＲとを、ＳＤＲＡＭライトコントローラ２６に送る。
【００６７】
（ｃ）他方、判別の結果、先書き優先領域内のＳＹＮＣブロックのデータであった場合には、バリッドＩＤメモリ２４を用いて、次のような先書き優先処理を行う。バリッドＩＤメモリ２４は、先書き優先領域内の各ＳＹＮＣブロックのＩＤに対応して、既にそのＩＤのＳＹＮＣブロックの再生データがＳＤＲＡＭ２７に既に書き込まれているか否かを示す１ビットのフラグ（初期値が‘０’であり、書き込まれていることを‘１’で示すものとする）を記憶するためのメモリである。バリッドチェック回路２３は、このバリッドＩＤメモリ２４にリードアドレスＲＡＤＲを与えることにより、ＳＲＡＭ２１からの１ＳＹＮＣブロック分の再生データのＩＤに対応するフラグＦＬＧを読み出す。
【００６８】
（ｄ）そのフラグが‘０’であった場合には、処理（ｂ）と同じく、その再生データＤＡＴＡをＳＤＲＡＭパケットコントローラ２５に送るとともに、書き込み要求ＲＥＱ及びＤＡＤＲをＳＤＲＡＭライトコントローラ２６に送る。また、ライトアドレスＷＡＤＲ，ライトイネーブルＲＥＮ及び値‘１’のフラグＦＬＧをバリッドＩＤメモリ２４に与えることにより、そのＩＤに対応してフラグ‘１’を記憶させる。そして処理を終了する。
【００６９】
（ｅ）他方、そのフラグが‘１’であった場合には、その再生データをＳＤＲＡＭパケットコントローラ２５に送ることなく処理を終了する。
【００７０】
ＳＤＲＡＭライトコントローラ２６は、書き込み要求ＲＥＱを受け取ると、バリッドチェック回路２３にアクノーリッジＡＣＫを返した後、ＳＤＲＡＭ２７にデータを書き込ませるためのアドレス，バンクアドレス等の各種のコマンドＣＭＤと、書き込み要求ＲＥＱとをＳＤＲＡＭパケットコントローラ２５に送る。
【００７１】
ＳＤＲＡＭパケットコントローラ２５は、それに応じて、バリッドチェック回路２３からの再生データＤＡＴＡとアドレス，バンクアドレス等のコマンドＡ／ＢＡ／…とをＳＤＲＡＭ２７に送ることにより、その再生データＤＡＴＡをＳＤＲＡＭ２７に書き込ませる。そして、ＳＤＲＡＭ２７への書き込みを開始したことを示す情報ＳＴＡＲＴと、パケットのバリッドＶＬＤとをＳＤＲＡＭライトコントローラ２６に返す。
【００７２】
ＳＤＲＡＭ２７は、図７に示した１セグメント分のデータの記録容量を有しており、各ＳＹＮＣブロックの再生データをそれぞれそのＳＹＮＣブロックのＩＤに対応した記録位置に書き込むようになっている。ＳＤＲＡＭ２７に１セグメント分の再生データが書き込まれると、ＳＤＲＡＭリードコントローラ２８が、ＳＤＲＡＭ２７からその再生データを読み出すためのコマンドＣＭＤと、読出し要求ＲＥＱとをＳＤＲＡＭパケットコントローラ２５に送る。
【００７３】
ＳＤＲＡＭパケットコントローラ２５は、それに応じて、アドレス，バンクアドレス等のコマンドＡ／ＢＡ／…をＳＤＲＡＭ２７に送ることにより、ＳＤＲＡＭ２７から再生データＤＡＴＡを読み出す。そして、ＳＤＲＡＭ２７からの読出しを開始したことを示す情報ＳＴＡＲＴと、パケットのバリッドＶＬＤとをＳＤＲＡＭリードコントローラ２８に返す。
【００７４】
ＳＤＲＡＭパケットコントローラ２５は、読み出した再生データＤＡＴＡをＳＲＡＭ２９に送る。また、ＳＤＲＡＭリードコントローラ２８は、ライトアドレスＷＡＤＲ及びライトイネーブルＷＥＮをＳＲＡＭ２９に与えることにより、ＳＲＡＭ２９にその再生データを書き込ませる。
【００７５】
ＳＲＡＭリードコントローラ３０は、ＳＲＡＭ２９にリードアドレスＲＡＤＲを与えることにより、ＳＲＡＭ２９から再生データＤＡＴＡを読み出す。また、ＳＲＡＭ２９が空になると、空になったことと、データの読出しを行いたいＳＤＲＡＭ２７内のアドレス（デスティネーションアドレス）とを示す情報ＥＭＰ／ＤＡＤＲを、ＳＤＲＡＭリードコントローラ２８に送る。
【００７６】
ＳＤＲＡＭリードコントローラ２８は、それに対してアクノーリッジＡＣＫを返すとともに、この情報ＥＭＰ／ＤＡＤＲを参照しつつＳＤＲＡＭパケットコントローラ２５に前述のコマンドＣＭＤ及び読出し要求ＲＥＱを送る。
【００７７】
タイミングジェネレータ３１は、ＳＲＡＭリードコントローラ３０に読出しスタート信号を与えるほか、バリッドチェック回路２３やＳＤＲＡＭライトコントローラ２６にタイミング情報を与える。
【００７８】
ＳＲＡＭ２９から読み出された再生データＤＡＴＡは、ＳＲＡＭリードコントローラ３０からこのノントラッキング処理回路１５の外部に出力され、図５に示すようにＣ２訂正器１６に送られる。
【００７９】
そして、Ｃ２訂正器１６でノントラッキング処理回路１５からの再生データにＣ２訂正（アウタパリティを用いた誤り訂正）が施され、Ｃ２訂正器１６の出力データのうちのビデオデータがビデオ伸張器１７で伸張されることにより、再生ビデオ信号及び再生オーディオ信号が得られる。
【００８０】
次に、このＶＴＲにおいて、編集時の下地の消し残りがＣ２訂正の対象から除外される様子を説明する。図１０Ａは、図７に示したセグメント１個分を編集対象としたインサート編集時に、記録ヘッド５（図５）が下地に対してビデオテープの走行方向上で前方に進むようにオフトラックした状態を示す。このとき、編集部分（編集時に実際にデータが記録された部分）が編集対象のセグメントに対して前方にずれることにより、編集点出口（編集部分の後端）に隣接して、編集対象のセグメントの後端部分に記録されていた下地が消し残されている。この消し残りは、図７に示したように、セグメント内で先書き優先領域に位置している。
【００８１】
この状態でビデオテープを再生すると、再生ヘッド６（図５）は、先に編集部分を再生し、その後で下地の消し残りを再生することになる。
【００８２】
このセグメント１個分の編集部分のうち、セグメントの前半（図７に示したように後書き優先領域）から再生されてＣ１訂正器１１〜１４でＣ１訂正された各ＳＹＮＣブロックの再生データがノントラッキング処理回路１５に送られると、バリッドチェック回路２３が前述の処理（ａ）及び（ｂ）を行うので、図１１Ａに示すように、ＳＤＲＡＭ２７の１セグメント分の記憶エリアのうち、セグメントの前半（後書き優先領域）に対応した記録エリアＡＲ１にその再生データが書き込まれる。
【００８３】
続いて、この編集部分のうち、セグメントの後半（図７に示したように先書き優先領域）から再生されてＣ１訂正器１１〜１４でＣ１訂正された各ＳＹＮＣブロックの再生データがノントラッキング処理回路１５に送られると、バリッドチェック回路２３が前述の処理（ａ），（ｃ）及び（ｄ）を行うので、図１１Ｂに示すように、ＳＤＲＡＭ２７の１セグメント分の記憶エリアのうち、セグメントの後半（先書き優先領域）に対応した領域ＡＲ２にその再生データが書き込まれる。
【００８４】
また、このとき、処理（ｄ）により、バリッドＩＤメモリ２４には、先書き優先領域内の全てのＳＹＮＣブロックのＩＤに対応して、そのＩＤのＳＹＮＣブロックの再生データがＳＤＲＡＭ２７に既に書き込まれていることを示すフラグ‘１’が記憶される。
【００８５】
その後、下地の消し残りから再生されてＣ１訂正器１１〜１４でＣ１訂正された各ＳＹＮＣブロックの再生データがノントラッキング処理回路１５に送られると、バリッドチェック回路２３が前述の処理（ａ），（ｃ）及び（ｅ）を行うので、その再生データはＳＤＲＡＭ２７に送られない。
【００８６】
このように、編集部分の後端側に下地の消し残りが存在しても、下地の消し残りから再生されてＣ１訂正されたデータはＳＤＲＡＭ２７に書き込まれない。したがって、下地の消し残りから再生されてＣ１訂正されたデータがＣ２訂正器１６に送られることはない。
【００８７】
次に、図１０Ｂは、図７に示したセグメント１個分を編集対象としたインサート編集時に、記録ヘッド５が下地に対してビデオテープの走行方向上で後方に遅れるようにオフトラックした状態を示す。このとき、編集部分が編集対象のセグメントに対して後方にずれることにより、編集点入口（編集部分の前端）に隣接して、編集対象のセグメントの前端部分に記録されていた下地が消し残されている。この消し残りは、図７に示したように、セグメント内で後書き優先領域に位置している。
【００８８】
この状態でビデオテープを再生すると、再生ヘッド６は、先に下地の消し残りを再生し、その後で編集部分を再生することになる。
【００８９】
この下地の消し残りから再生されてＣ１訂正器１１〜１４でＣ１訂正された各ＳＹＮＣブロックの再生データがノントラッキング処理回路１５に送られると、バリッドチェック回路２３が前述の処理（ａ）及び（ｂ）を行うので、図１２Ａに示すように、ＳＤＲＡＭ２７内の、セグメントの前半（後書き優先領域）に対応した記録エリアＡＲ１のうち、そのＳＹＮＣブロックのＩＤに対応した記録位置にその再生データが書き込まれる。
【００９０】
しかし、その後、このセグメント１個分の編集部分のうち、セグメントの前半（後書き優先領域）から再生されてＣ１訂正器１１〜１４でＣ１訂正された各ＳＹＮＣブロックの再生データがノントラッキング処理回路１５に送られると、バリッドチェック回路２３が再び前述の処理（ａ）及び（ｂ）を行うので、図１２Ｂに示すように、記録エリアＡＲ１のうち下地の消し残りからの再生データが書き込まれた記録位置に、後書き優先領域からの同じＩＤのＳＹＮＣブロックの再生データが上書きされる。
【００９１】
続いて、この編集部分のうち、セグメントの後半（先書き優先領域）から再生されてＣ１訂正器１１〜１４でＣ１訂正された各ＳＹＮＣブロックの再生データがノントラッキング処理回路１５に送られると、バリッドチェック回路２３が前述の処理（ａ），（ｃ）及び（ｄ）を行うので、図１２Ｃに示すように、ＳＤＲＡＭ２７内の、セグメントの後半（先書き優先領域）に対応した記録エリアＡＲ２に、その再生データが書き込まれる。
【００９２】
このように、編集部分の前端側に下地の消し残りが存在するとき、下地の消し残りから再生されてＣ１訂正されたデータは、一旦はＳＤＲＡＭ２７に書き込まれるが、編集部分からの再生データによって上書き消去される。したがって、やはり、下地の消し残りから再生されてＣ１訂正されたデータがＣ２訂正器１６に送られることはない。
【００９３】
このようにして、このＶＴＲでは、編集単位であるセグメントの前半，後半をそれぞれ後書き優先領域，先書き優先領域に区別してノントラッキング処理回路１５内のＳＤＲＡＭ２７への書き込み処理を行うことにより、編集点入口，編集点出口のいずれの側に下地の消し残りが存在する場合にも、下地の消し残りをＣ２訂正器１６でのＣ２訂正の対象から除外することができるようになっている。
【００９４】
また、図３に示した従来例との比較から明らかなように、ＳＹＮＣブロックのＩＤの中にＥｄｉｔＩＤを挿入しないので、ビデオ信号やオーディオ信号の実質的な記録密度の低下が防止される。
【００９５】
さらに、図４に示した従来例との比較から明らかなように、下地のＥｄｉｔＩＤの検出用の再生系（再生ヘッド及び信号処理回路）を設けないので、回転ドラムの小型化が容易になるとともに、回路構成を簡素化することができる。
【００９６】
なお、以上の例のようにセグメントの前半，後半をそれぞれ後書き優先領域，先書き優先領域とするのは、ビデオテープを順方向に走行させて再生するフォワード再生の場合の設定である。これに対し、ビデオテープを逆方向に走行させて再生するリバース再生の場合には、逆に、図１３に示すように、セグメントＳＧの前半，後半をそれぞれ先書き優先領域ＳＧ２，後書き優先領域ＳＧ１に設定した上で、ノントラッキング処理回路１５内のバリッドチェック回路２３に前述の処理（ａ）〜（ｅ）を実行させればよい。
【００９７】
但し、再生ヘッド６として、回転ドラム上での同一のアジマス角の再生ヘッド間の角度割が均一でないものを用いる場合には、リバース再生の場合に新たな問題が生じる。以下に、この問題とその回避方法について説明する。
【００９８】
回転ドラム上での同一のアジマス角の再生ヘッド間の角度割が均一である場合には、回転ドラム上でのそれらの再生ヘッドの高さを同じにしても、一定の間隔でトラックをスキャンしていくことができる。しかし、回転ドラム上での同一のアジマス角の再生ヘッド間の角度割が均一でない場合には、回転ドラム上でのそれらの再生ヘッドの高さをずらさなければ、一定の間隔でトラックをスキャンしていくことができない。
【００９９】
図１４Ａは、この角度割が均一でない例として、再生ヘッドＡ１及びＡ２，再生ヘッドＢ１及びＢ２を、それぞれ１つのチップＣＰ上に薄膜を蒸着することによって形成して回転ドラムＤＭに搭載した例（１チップ２ギャップのヘッドの例）を示す。この１チップ２ギャップの場合には、同じチップ上の２つの再生ヘッドは、図１４Ｂに再生ヘッドＡ１及びＡ２について示すように、一方の再生ヘッドＡ１，Ｂ１のほうが残りの再生ヘッドＡ２，Ｂ２よりも回転ドラムＤＭ上の高い位置（例えば１トラックピッチ分高さをずらした位置）に搭載される。
【０１００】
このように回転ドラム上での同一のアジマス角の再生ヘッドの高さが相違すると、リバース再生の場合に、再生ヘッドのトラッッキング位相によって、同じＩＤのＳＹＮＣブロックが、下地の消し残りと編集部分とのうちのどちらから先に再生されるかが変化してしまう。
【０１０１】
図１５は、フォワード再生の場合について、回転ドラム上の高さが高いほうの再生ヘッドＡ１と、回転ドラム上の位置が高さが低いほうの再生ヘッＡ２とでの下地の消し残りと編集部分との再生順序を示す図である。このうち、図１５Ａ及びＢは、編集点入口に下地の消し残りが存在する場合を示しており、図１５Ａと図１５Ｂとでトラッキング位相が異なっている。また、図１５Ｃ及びＤは、編集点出口に下地の消し残りが存在する場合を示しており、図１５Ｃと図１５Ｄとではトラッキング位相が異なっている。図１５Ａ〜Ｄの各々において、下地の消し残り，編集部分中の斜線を付した箇所は、互いに同じＩＤのＳＹＮＣブロックが記録された箇所を示す。
【０１０２】
図１５Ａの場合には、下地の消し残り，編集部分中の互いに同じＩＤのＳＹＮＣブロックの記録箇所（斜線の箇所）のうち、先にヘッドＡ２が下地の消し残りのほうをスキャンし（図の左側の破線の矢印）、その後でヘッドＡ１が編集部分のほうをスキャンする（図の右側の破線の矢印）。
【０１０３】
図１５Ｂの場合には、この同じＩＤのＳＹＮＣブロックの記録箇所のうち、先にヘッドＡ１が下地の消し残りのほうをスキャンし（図の左側の破線の矢印）、その後でヘッドＡ２が編集部分のほうをスキャンする（図の右側の破線の矢印）。
【０１０４】
図１５Ｃの場合には、この同じＩＤのＳＹＮＣブロックの記録箇所のうち、先にヘッドＡ２が編集部分のほうをスキャンし（図の左側の破線の矢印）、その後でヘッドＡ１が下地の消し残りのほうをスキャンする（図の右側の破線の矢印）。
【０１０５】
図１５Ｄの場合には、この同じＩＤのＳＹＮＣブロックの記録箇所のうち、先にヘッドＡ１が編集部分のほうをスキャンし（図の左側の破線の矢印）、その後でヘッドＡ２が下地の消し残りのほうをスキャンする（図の右側の破線の矢印）。
【０１０６】
このように、フォワード再生の場合には、編集点入口では、トラッキング位相にかかわらず、下地の消し残り，編集部分中の互いに同じＩＤのＳＹＮＣブロックの記録箇所のうち、常に下地の消し残りのほうが先行して再生される。また、編集点出口では、トラッキング位相にかかわらず、下地の消し残り，編集部分中の互いに同じＩＤのＳＹＮＣブロックの記録箇所のうち、常に下地の消し残りのほうが遅れて再生される。
【０１０７】
したがって、Ｃ１訂正器１０〜１４からの出力データをそのままノントラッキング処理回路１５に送ることにより、既に説明したようにして、常に下地の消し残りをＣ２訂正器１６でのＣ２訂正の対象から除外することができる。
【０１０８】
他方、図１６は、リバース再生の場合について、図１５と同様にして、回転ドラム上の高さが高いほうの再生ヘッドＡ１と、回転ドラム上の位置が高さが低いほうの再生ヘッＡ２とでの下地の消し残りと編集部分との再生順序を示す図である。図１６Ａ及びＢは、編集点入口に下地の消し残りが存在する場合を示しており、図１６Ａと図１６Ｂとではトラッキング位相が異なっている。図１６Ｃ及びＤは、編集点出口に下地の消し残りが存在する場合を示しており、図１６Ｃと図１６Ｄとではトラッキング位相が異なっている。図１６Ａ〜Ｄの各々において、下地の消し残り，編集部分中の斜線を付した箇所は、互いに同じＩＤのＳＹＮＣブロックのデータが記録された箇所を示す。
【０１０９】
図１６Ａの場合には、下地の消し残り，編集部分中の互いに同じＩＤのＳＹＮＣブロックの記録箇所（斜線の箇所）のうち、先にヘッドＡ１が編集部分のほうをスキャンし（図の右側の破線の矢印）、その後でヘッドＡ２が下地の消し残りのほうをスキャンする（図の左側の破線の矢印）。
【０１１０】
図１６Ｂの場合には、この同じＩＤのＳＹＮＣブロックの記録箇所のうち、先にヘッドＡ１が下地の消し残りのほうをスキャンし（図の左側の破線の矢印）、その後でヘッドＡ２が編集部分のほうをスキャンする（図の右側の破線の矢印）。
【０１１１】
図１６Ｃの場合には、この同じＩＤのＳＹＮＣブロックの記録箇所のうち、先にヘッドＡ１が下地の消し残りのほうをスキャンし（図の右側の破線の矢印）、その後でヘッドＡ２が編集部分のほうをスキャンする（図の左側の破線の矢印）。
【０１１２】
図１６Ｄの場合には、この同じＩＤのＳＹＮＣブロックの記録箇所のうち、先にヘッドＡ１が編集部分のほうをスキャンし（図の左側の破線の矢印）、その後でヘッドＡ２が下地の消し残りのほうをスキャンする（図の右側の破線の矢印）。
【０１１３】
このように、リバース再生の場合には、編集点入口，編集点出口ともに、トラッッキング位相によって、下地の消し残り，編集部分中の互いに同じＩＤのＳＹＮＣブロックの記録箇所のうちのどちらが先に再生されるかが入れ替わってしまう。
【０１１４】
そして、図１６Ａ，Ｃのトラッキング位相の場合には、再生順序がフォワード再生の場合と逆になるので、図１３に示したようにセグメントの先書き優先領域，後書き優先領域を設定するだけで、ノントラッキング処理回路１５によって下地の消し残りをＣ２訂正の対象から除外することができる。
【０１１５】
これに対し、図１６Ｂ，Ｄのトラッキング位相の場合には、再生順序がフォワード再生の場合と同じになってしまうので、図１３に示したようにセグメントの先書き優先領域，後書き優先領域を設定するだけでは、ノントラッキング処理回路１５によって下地の消し残りをＣ２訂正の対象から除外することができない。
【０１１６】
ここで、図１６Ｂの場合には、先に下地の消し残りのほうをスキャンしているのは、回転ドラム上の高さが高いほうの再生ヘッドＡ１である。また、図１６Ｄの場合にも、先に編集部分のほうをスキャンしているのは、回転ドラム上の高さが高いほうの再生ヘッドＡ１である。
【０１１７】
したがって、再生ヘッドＡ１による再生信号を、ノントラッキング処理回路１５に入力する前に、再生ヘッドＡ２による再生信号よりも遅延させるようにすれば、図１６Ｂ，Ｄのトラッキング位相の場合にも、ノントラッキング処理回路１５側からみて、再生順序をフォワード再生の場合と逆にすることができる。
【０１１８】
そこで、再生ヘッドＡ１，Ｂ１のほうが再生ヘッドＡ２，Ｂ２よりも回転ドラム上の高さが高い場合には、図１３に示したようにセグメントの先書き優先領域，後書き優先領域を設定することに加えて、図１７に示すように、Ｃ１訂正器１１〜１４のうち、再生ヘッドＡ１に対応するＣ１訂正器１１とノントラッキング処理回路１５との間に、遅延回路４１と、Ｃ１訂正器１１の出力及び遅延回路４１の出力を入力する２入力１出力の切り替えスイッチ４２とを設け、切り替えスイッチ４２の出力をノントラッキング処理回路１５に送る。
【０１１９】
この遅延回路４１の遅延時間は、再生ヘッドＡ１がトラックのスキャン方向上の或る位置のデータを再生してから再生ヘッドＡ２がトラックのスキャン方向上の同じ位置のデータを再生するまでの時間差よりも幾分大きく設定する。
【０１２０】
また、再生ヘッドＢ１に対応するＣ１訂正器１３とノントラッキング処理回路１５との間にも、全く同様にして遅延回路４３及び切り替えスイッチ４４を設ける。
【０１２１】
そして、フォワード再生の場合には、図示しないマイクロプロセッサの制御によって切り替えスイッチ４２，４４の入力をそれぞれＣ１訂正器１１，１３側に切り替えることにより、図１の例の場合と同じく、Ｃ１訂正器１１，１３の出力データをそのままノントラッキング処理回路１５に送る。
【０１２２】
他方、リバース再生の場合には、切り替えスイッチ４２，４４の入力をそれぞれ遅延回路４１，４３側に切り替えることにより、Ｃ１訂正器１１，１３の出力をそれぞれ遅延回路４１，４３で遅延させてノントラッキング処理回路１５に送る。
【０１２３】
これにより、図１６Ｂに示したようなトラッキング位相のときにも、下地の消し残り，編集部分中の互いに同じＩＤのＳＹＮＣブロックの記録箇所のうち、再生ヘッドＡ２での編集部分のほうのスキャン結果が、再生ヘッドＡ１での下地の消し残りのほうのスキャン結果よりも先にノントラッキング処理回路１５に送られることになる。
【０１２４】
また、図１６Ｄに示したトラッキング位相のときにも、下地の消し残り，編集部分中の互いに同じＩＤのＳＹＮＣブロックの記録箇所のうち、再生ヘッドＡ２での下地の消し残りのほうのスキャン結果が、再生ヘッドＡ１での編集部分のほうのスキャン結果よりも先にノントラッキング処理回路１５に送られることになる。
【０１２５】
換言すれば、ノントラッキング処理回路１５側からみると、図１６Ｂに示した再生順序が、図１８Ａに示すように、先に再生ヘッドＡ２が編集部分のほうをスキャンし、その後で再生ヘッドＡ１が下地の消し残りのほうをスキャンしたように変化することになる。また、図１６Ｄに示した再生順序も、図１８Ｂに示すように、先に再生ヘッドＡ２が下地の消し残りのほうをスキャンし、その後で再生ヘッドＡ１が編集部分のほうをスキャンしたように変化することになる。（図１８では、再生ヘッドＡ１，Ｂ１の実際の位置を破線で示し、ノントラッキング処理回路１５側からみた再生ヘッドＡ１，Ｂ１の位置を実線で示している。）
【０１２６】
このように、リバース再生の場合に遅延回路４１，４３を介在させることにより、トラッキング位相にかかわらず、編集点入口では、下地の消し残り，編集部分中の互いに同じＩＤのＳＹＮＣブロックの記録箇所のうち、常に下地の消し残りのほうが遅れて再生されるようになる。また、編集点出口では、下地の消し残り，編集部分中の互いに同じＩＤのＳＹＮＣブロックの記録箇所のうち、常に下地の消し残りのほうが先行して再生されるようになる。
【０１２７】
これにより、再生順序が完全にフォワード再生の場合と逆になるので、リバース再生の場合にも、常に下地の消し残りをＣ２訂正の対象から除外することができるようになる。
【０１２８】
なお、以上の例では、編集単位であるセグメントを構成する４８本のビデオトラックのうち、その半分（フォワード再生時には後半，リバース再生時には前半）の２４本のビデオトラックを、先書き優先領域に設定している。しかし、下地が消し残される可能性のあるビデオトラックの本数が２４本よりも少ないＮ本にとどまるような場合には、Ｎ本のビデオトラックを、先書き優先領域に設定するようにしてもよい。このように先書き優先領域を必要最小限に設定することにより、ノントラッキング処理回路１５内のバリッドＩＤメモリ２４の容量を節約することができる。
【０１２９】
また、以上の例では、４８本のビデオトラックを１セグメントとしたり、正アジマス角，負アジマスの再生ヘッドを２つずつ設けているが、４８本以外の本数のビデオトラックを１セグメントとしたり、正アジマス角，負アジマスの再生ヘッドをそれぞれ３つ以上（１チップ２ギャップの再生ヘッドの場合には２の倍数）設けてもよいことはもちろんである。
【０１３０】
また、以上の例では、インサート編集時の下地の消し残りがＣ２訂正の対象から除外される様子を説明したが、繋ぎ撮り編集時の下地の消し残りも、インサート編集時の編集点入口での下地の消し残りと全く同様にしてＣ２訂正の対象から除外することができる。
【０１３１】
また、以上の例では、ＶＴＲに本発明を適用したが、テープ状記録媒体に記録されたトラックをノントラッキング再生するあらゆる再生装置に本発明を適用してよい。
【図面の簡単な説明】
【０１３２】
【図１】ジャストトラッキング再生とノントラッキング再生とで、オフトラックに対してＣ１訂正の可能な範囲を比較して示す図である。
【図２】インサート編集時の下地の消し残り例を示す図である。
【図３】従来のノントラッキング再生においてＳＹＮＣブロックのＩＤの中に挿入していたＥｄｉｔＩＤの一例を示す図である。
【図４】従来のノントラッキング再生方式のＶＴＲの記録再生系の構成例を示すブロック図である。
【図５】本発明を適用したノントラッキング再生方式のＶＴＲの記録再生系の構成例を示すブロック図である。
【図６】図５のＳＹＮＣ・ＩＤ・パリティ付加器で付加される同期データ，ＩＤ，外符号及び内符号を示す図である。
【図７】図５のＶＴＲでの編集単位及び後書き優先領域・先書き優先領域を示す図である。
【図８】図５のノントラッキング処理回路の構成例を示すブロック図である。
【図９】図８のバリッドチェック回路の処理を示す図である。
【図１０】インサート編集時の下地の消し残り例を示す図である。
【図１１】図８のＳＤＲＡＭの記憶領域に書き込まれるデータを示す図である。
【図１２】図８のＳＤＲＡＭの記憶領域に書き込まれるデータを示す図である。
【図１３】リバース再生時の先書き優先領域，後書き優先領域を示す図である。
【図１４】１チップ２ギャップの再生ヘッドの例を示す図である。
【図１５】フォワード再生の場合について、回転ドラム上での高さが相違する再生ヘッドでの下地の消し残りと編集部分との再生順序を示す図である。
【図１６】リバース再生の場合について、回転ドラム上での高さが相違する再生ヘッドでの下地の消し残りと編集部分との再生順序を示す図である。
【図１７】図５の記録再生系の構成の部分的な変更例を示す図である。
【図１８】図１７の変更例における、ノントラッキング処理回路側からみた再生ヘッドでの再生順序の変化を示す図である。
【符号の説明】
【０１３３】
１      ビデオ圧縮器
２      ＳＹＮＣ・ＩＤ・パリティ付加器
３      記録回路
４      記録回路
５      記録ヘッド
６      再生ヘッド
７      等化復号回路
８      等化復号回路
９      等化復号回路
１０    等化復号回路
１１    Ｃ１訂正器
１２    Ｃ１訂正器
１３    Ｃ１訂正器
１４    Ｃ１訂正器
１５    ノントラッキング処理回路
１６    Ｃ２訂正器
１７    ビデオ伸張器
２１    ＳＲＡＭ
２２    ＳＲＡＭライトコントローラ
２３     バリッドチェック回路
２４    バリッドＩＤメモリ
２５    ＳＤＲＡＭパケットコントローラ
２６    ＳＤＲＡＭライトコントローラ
２７    ＳＤＲＡＭ
２８    ＳＤＲＡＭリードコントローラ
２９    ＳＲＡＭ
３０    ＳＲＡＭリードコントローラ
４１    遅延回路
４２    切り替えスイッチ
４３    遅延回路
４４    切り替えスイッチ
Ａ１    再生ヘッド
Ａ２    再生ヘッド
Ｂ１    再生ヘッド
Ｂ２    再生ヘッド
ＳＧ    セグメント
ＳＧ１  後書き優先領域
ＳＧ２  先書き優先領域
【図１】
2005196921.tif 000003
【図２】
2005196921.tif 000004
【図３】
2005196921.tif 000005
【図４】
2005196921.tif 000006
【図５】
2005196921.tif 000007
【図６】
2005196921.tif 000008
【図７】
2005196921.tif 000009
【図８】
2005196921.tif 000010
【図９】
2005196921.tif 000011
【図１０】
2005196921.tif 000012
【図１１】
2005196921.tif 000013
【図１２】
2005196921.tif 000014
【図１３】
2005196921.tif 000015
【図１４】
2005196921.tif 000016
【図１５】
2005196921.tif 000017
【図１６】
2005196921.tif 000018
【図１７】
2005196921.tif 000019
【図１８】
2005196921.tif 000020
【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
テープ状記録媒体上の同じトラックに対し、複数の再生ヘッドによるスキャンか、１つの再生ヘッドによる複数回のスキャンかのいずれかを行い、
それぞれのスキャンによる再生データに対して、所定の記録ブロック毎に、インナパリティを用いた誤り訂正を施し、
前記誤り訂正によって誤りが訂正された再生データをメモリに書き込み、
前記メモリから読み出した再生データに対して、アウタパリティを用いた誤り訂正を施すようにしたデータ再生装置において、
編集の最小単位となる所定本数のトラックのうち、後側の一部の本数のトラックを先書き優先領域に、残りのトラックを後書き優先領域にそれぞれ設定し、前記先書き優先領域から再生されて前記インナパリティを用いて誤り訂正が訂正された各々の前記記録ブロックについて、該記録ブロックと同じ識別データを有する記録ブロックの再生データが前記メモリに既に書き込まれているか否かを判別する判別手段と、
前記判別手段でまだ書き込まれていないと判別された記録ブロックの再生データは前記メモリに書き込ませ、前記判別手段で既に書き込まれていると判別された記録ブロックの再生データは前記メモリに書き込ませない制御手段と
を備えたことを特徴とするデータ再生装置。
【請求項２】
請求項１に記載のデータ再生装置において、
前記判別手段は、前記テープ状記録媒体を逆方向に走行させて再生が行われる場合には、前記編集の最小単位となる所定本数のトラックのうち、前側の一部の本数のトラックを先書き優先領域に、残りのトラックを後書き優先領域にそれぞれ設定することを特徴とするデータ再生装置。
【請求項３】
請求項２に記載のデータ再生装置において、
回転ドラム上に、同一のアジマス角の複数の再生ヘッドが不均一な角度割で配置されており、
前記テープ状記録媒体を逆方向に走行させて再生が行われる場合に、前記複数の再生ヘッドのうち、前記回転ドラム上での高さが高いほうの再生ヘッドからの再生信号を、前記回転ドラム上での高さが低いほうの再生ヘッドからの再生信号よりも遅延させる遅延手段
をさらに備えたことを特徴とするデータ再生装置。
【請求項４】
テープ状記録媒体上の同じトラックに対し、複数の再生ヘッドによるスキャンか、１つの再生ヘッドによる複数回のスキャンかのいずれかを行い、
それぞれのスキャンによる再生データに対して、所定の記録ブロック毎に、インナパリティを用いた誤り訂正を施し、
前記誤り訂正によって誤りが訂正された再生データをメモリに書き込み、
前記メモリから読み出した再生データに対して、アウタパリティを用いた誤り訂正を施すようにしたデータ再生方法において、
編集の最小単位となる所定本数のトラックのうち、後側の一部の本数のトラックを先書き優先領域に、残りのトラックを後書き優先領域にそれぞれ設定し、前記先書き優先領域から再生されて前記インナパリティを用いて誤りが訂正された各々の前記記録ブロックについて、該記録ブロックと同じ識別データを有する記録ブロックの再生データが前記メモリに既に書き込まれているか否かを判別する第１のステップと、
前記第１のステップでまだ書き込まれていないと判別した記録ブロックの再生データは前記メモリに書き込ませ、前記第１のステップで既に書き込まれていると判別された記録ブロックの再生データは前記メモリに書き込ませない第２のステップと
を有することを特徴とするデータ再生方法。
【請求項５】
請求項４に記載のデータ再生方法において、
前記第１のステップでは、前記テープ状記録媒体を逆方向に走行させて再生が行われる場合には、前記編集の最小単位となる所定本数のトラックのうち、前側の一部の本数のトラックを先書き優先領域に、残りのトラックを後書き優先領域にそれぞれ設定することを特徴とするデータ再生方法。
【請求項６】
請求項５に記載のデータ再生方法において、
回転ドラム上に、同一のアジマス角の複数の再生ヘッドが不均一な角度割で配置されており、
前記テープ状記録媒体を逆方向に走行させて再生が行われる場合に、前記複数の再生ヘッドのうち、前記回転ドラム上での高さが高いほうの再生ヘッドからの再生信号を、前記回転ドラム上での高さが低いほうの再生ヘッドからの再生信号よりも遅延させるステップ
をさらに有することを特徴とするデータ再生方法。
【手続補正３】
【補正対象書類名】明細書
【補正対象項目名】０００１
【補正方法】変更
【補正の内容】
【０００１】
本発明は、ノントラッキング再生を行うＶＴＲなどのデータ再生装置、及びデータ再生方法に関する。
【手続補正４】
【補正対象書類名】明細書
【補正対象項目名】００２８
【補正方法】変更
【補正の内容】
【００２８】
この課題を解決するために、本発明によるデータ再生装置は、テープ状記録媒体上の同じトラックに対し、複数の再生ヘッドによるスキャンか、１つの再生ヘッドによる複数回のスキャンかのいずれかを行い、それぞれのスキャンによる再生データに対して、所定の記録ブロック毎にインナパリティを用いた誤り訂正（Ｃ１訂正）を施し、このＣ１訂正によって誤りが訂正された再生データをメモリに書き込み、このメモリから読み出した再生データに対してアウタパリティを用いた誤り訂正（Ｃ２訂正）を施すようにしたデータ再生装置において、編集の最小単位となる所定本数のトラックのうち、後側の一部の本数のトラックを先書き優先領域に、残りのトラックを後書き優先領域にそれぞれ設定し、この先書き優先領域から再生されてＣ１訂正によって誤りが訂正された各記録ブロックについて、その記録ブロックと同じ識別データ（ＩＤ）を有する記録ブロックの再生データがこのメモリに既に書き込まれているか否かを判別する判別手段と、この判別手段でまだ書き込まれていないと判別された記録ブロックの再生データはこのメモリに書き込ませ、この判別手段で既に書き込まれていると判別された記録ブロックの再生データはこのメモリに書き込ませない制御手段とを備えたことを特徴とする。
【手続補正５】
【補正対象書類名】明細書
【補正対象項目名】００２９
【補正方法】変更
【補正の内容】
【００２９】
このデータ再生装置では、編集の最小単位となる所定本数のトラックのうち、後側の一部の本数のトラックが先書き優先領域に設定される。そして、この先書き優先領域から再生されてＣ１訂正された各記録ブロックについて、その記録ブロックと同じＩＤを有する記録ブロックの再生データがメモリに既に書き込まれているか否かが判別され、書き込まれていると判別された記録ブロックの再生データはメモリに書き込ませない制御が行われる。
【手続補正６】
【補正対象書類名】明細書
【補正対象項目名】００３４
【補正方法】変更
【補正の内容】
【００３４】
このようにして、このデータ再生装置では、編集単位の前側，後側をそれぞれ後書き優先領域，先書き優先領域に区別してメモリへの書き込み処理を行うことにより、編集部分の前端側，後端側のいずれに下地の消し残りが存在する場合にも、下地の消し残りをＣ２訂正の対象から除外することができる。
【手続補正７】
【補正対象書類名】明細書
【補正対象項目名】００３６
【補正方法】変更
【補正の内容】
【００３６】
なお、このデータ再生装置において、一例として、判別手段は、テープ状記録媒体を逆方向に走行させて再生を行う場合（リバース再生時）には、編集単位となる所定本数のトラックのうち、前側の一部の本数のトラックのほうを先書き優先領域に、残りのトラックを後書き優先領域にそれぞれ設定することが好適である。
【手続補正８】
【補正対象書類名】明細書
【補正対象項目名】００４１
【補正方法】変更
【補正の内容】
【００４１】
次に、本発明に係るデータ再生方法は、テープ状記録媒体上の同じトラックに対し、複数の再生ヘッドによるスキャンか、１つの再生ヘッドによる複数回のスキャンかのいずれかを行い、それぞれのスキャンによる再生データに対して、所定の記録ブロック毎にＣ１訂正を施し、Ｃ１訂正によって誤りが訂正された再生データをメモリに書き込み、メモリから読み出した再生データに対してＣ２訂正を施すようにしたデータ再生方法において、編集の最小単位となる所定本数のトラックのうち、後側の一部の本数のトラックを先書き優先領域に、残りのトラックを後書き優先領域にそれぞれ設定し、この先書き優先領域から再生されてＣ１訂正によって誤りが訂正された各記録ブロックについて、その記録ブロックと同じＩＤを有する記録ブロックの再生データがこのメモリに既に書き込まれているか否かを判別する第１ステップと、この第１ステップでまだ書き込まれていないと判別した記録ブロックの再生データはこのメモリに書き込ませ、この第１ステップで既に書き込まれていると判別した記録ブロックの再生データはこのメモリに書き込ませない第２ステップとを有することを特徴とする。
【手続補正９】
【補正対象書類名】明細書
【補正対象項目名】００４２
【補正方法】変更
【補正の内容】
【００４２】
このデータ再生方法によれば、前述の本発明に係るデータ再生装置について説明したのと全く同様にして、ＳＹＮＣブロックのＩＤの中にＥｄｉｔＩＤを挿入したり下地のＥｄｉｔＩＤの検出用の再生系を設けたりすることなく、編集時の下地の消し残りをＣ２訂正の対象から除外することができる。
【手続補正１０】
【補正対象書類名】明細書
【補正対象項目名】００４３
【補正方法】変更
【補正の内容】
【００４３】
なお、このデータ再生方法においても、一例として、第１のステップでは、テープ状記録媒体を逆方向に走行させて再生が行われる場合には、編集単位となる所定本数のトラックのうち、前側の一部の本数のトラックを先書き優先領域に、残りのトラックを後書き優先領域にそれぞれ設定することや、さらには、リバース再生時に、複数の再生ヘッドのうち、回転ドラム上での高さが高いほうの再生ヘッドからの再生信号を、回転ドラム上での高さが低いほうの再生ヘッドからの再生信号よりも遅延させることが好適である。
【手続補正１１】
【補正対象書類名】明細書
【補正対象項目名】００４４
【補正方法】変更
【補正の内容】
【００４４】
それにより、前述の本発明に係るデータ再生装置について説明したのと全く同様にして、リバース再生時にも、下地の消し残りを常にＣ２訂正の対象から除外することができるようになる。